【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
ハウジング（６４）及びレンズ（６５）からなる灯体（６３）内にバルブ（６６）及びメインリフレクタ（６７）を備え、前記バルブ（６６）からのバルブ光を前記メインリフレクタ（６７）の反射方向とは異なる方向にも配光可能とした車両用灯火器（６２）の構造において、
前記メインリフレクタ（６７）に形成されて該メインリフレクタ（６７）の背後に前記バルブ光を導くスリット（８１）と、該スリット（８１）が導いたバルブ光の照射方向に沿って前記メインリフレクタ（６７）の背後に延在するサブリフレクタ（８２）とを備え、
前記スリット（８１）を通じて前記メインリフレクタ（６７）の背後に導いたバルブ光が、前記サブリフレクタ（８２）によって前記メインリフレクタ（６７）の反射方向とは異なる方向に配光されると共に、
前記灯火器（６２）は、車両（１）のフロントカバー（５１）に左右一対に設けられ、前記サブリフレクタ（８２）は、前記メインリフレクタ（６７）の後方かつ前記フロントカバー（５１）の左右縁（５１ｃ）近傍で、該左右縁（５１ｃ）に沿うように斜め上後方に向けて延設され、
前記灯火器（６２）は、前記フロントカバー（５１）の左右内側に位置するヘッドランプ（６１）の上方に連続するように設けられることを特徴とする車両用灯火器構造。
【請求項２】
前記サブリフレクタ（８２）に階段状の反射面（８２ａ，８２ｂ）が形成されることを特徴とする請求項１に記載の車両用灯火器構造。
【請求項３】
前記レンズ（６５）における少なくとも前記サブリフレクタ（８２）と対向する部位の内面に、前記バルブ光の一部を前記サブリフレクタ（８２）に向けて反射させるレンズカットが施されることを特徴とする請求項１又は２に記載の車両用灯火器構造。
【請求項４】
前記サブリフレクタ（８２）が前記メインリフレクタ（６７）と一体に形成されることを特徴とする請求項１から３の何れかに記載の車両用灯火器構造。
【請求項５】
前記スリット（８１）の幅（ｈ１）と前記サブリフレクタ（８２）の幅（ｈ２）とが略同一とされることを特徴とする請求項１から４の何れかに記載の車両用灯火器構造。
【請求項６】
前記フロントカバー（５１）は、その前部において前下がりの傾斜面を形成する傾斜前壁部（５１ａ）と、該傾斜前壁部（５１ａ）の下部両側から斜め下後方に延びる左右側壁部（５１ｂ）とを一体に有し、前記傾斜前壁部（５１ａ）に、前記ヘッドランプ（６１）及び左右のフロントウインカ（６２）が設けられることを特徴とする請求項１に記載の車両用灯火器構造。
【請求項７】
前記ヘッドランプ（６１）は、前記傾斜前壁部（５１ａ）の下部の左右方向内側に位置し、かつ上側に向けて先細りに延びる縦長の左右レンズ面（６１ａ）を前面視Ｖ字状にして配置されることを特徴とする請求項６に記載の車両用灯火器構造。
【請求項８】
前記灯火器（６２）は、前記ヘッドランプ（６１）のレンズ面（６１ａ）の上端部から前記傾斜前壁部（５１ａ）の上端部左右外側の角部に至るまで後上がりに延びることを特徴とする請求項７に記載の車両用灯火器構造。
【請求項９】
前記灯火器（６２）のヘッドランプ（６１）側の端部（６８）は、ヘッドランプ（６１）側に側面視三角形状をなして突出することを特徴とする請求項８に記載の車両用灯火器構造。
【請求項１０】
前記灯火器（６２）の傾斜前壁部（５１ａ）の上端側における端部（６９）は、傾斜前壁部（５１ａ）の上端部左右外側の角部近傍において後上がりに延びると共に、その末端が前記傾斜前壁部（５１ａ）の上部側縁を形成するべく後上がりの直線状に形成されることを特徴とする請求項９に記載の車両用灯火器構造。
【手続補正２】
【補正対象書類名】明細書
【補正対象項目名】０００４
【補正方法】変更
【補正の内容】
【０００４】
上記課題の解決手段として、請求項１に記載した発明は、ハウジング（例えば実施例のハウジング６４）及びレンズ（例えば実施例のレンズ６５）からなる灯体（例えば実施例の灯体６３）内にバルブ（例えば実施例のバルブ６６）及びメインリフレクタ（例えば実施例のメインリフレクタ６７）を備え、前記バルブからのバルブ光を前記メインリフレクタの反射方向とは異なる方向にも配光可能とした車両用灯火器（例えば実施例のフロントウインカ６２）の構造において、前記メインリフレクタに形成されて該メインリフレクタの背後に前記バルブ光を導くスリット（例えば実施例のスリット８１）と、該スリットが導いたバルブ光の照射方向に沿って前記メインリフレクタの背後に延在するサブリフレクタ（例えば実施例のサブリフレクタ８２）とを備え、前記スリットを通じて前記メインリフレクタの背後に導いたバルブ光が、前記サブリフレクタによって前記メインリフレクタの反射方向とは異なる方向に配光されると共に、前記灯火器は、車両（例えば実施例の自動二輪車１）のフロントカバー（例えば実施例のフロントカバー５１）に左右一対に設けられ、前記サブリフレクタは、前記メインリフレクタの後方かつ前記フロントカバーの左右縁（例えば実施例の左右外側縁５１ｃ）近傍で、該左右縁に沿うように斜め上後方に向けて延設され、前記灯火器は、前記フロントカバーの左右内側に位置するヘッドランプ（例えば実施例のヘッドランプ６１）の上方に連続するように設けられることを特徴とする。
【手続補正３】
【補正対象書類名】明細書
【補正対象項目名】０００９
【補正方法】変更
【補正の内容】
【０００９】
請求項６に記載した発明は、前記フロントカバー（５１）は、その前部において前下がりの傾斜面を形成する傾斜前壁部（５１ａ）と、該傾斜前壁部（５１ａ）の下部両側から斜め下後方に延びる左右側壁部（５１ｂ）とを一体に有し、前記傾斜前壁部（５１ａ）に、前記ヘッドランプ（６１）及び左右のフロントウインカ（６２）が設けられることを特徴とする。
【手続補正４】
【補正対象書類名】明細書
【補正対象項目名】００１０
【補正方法】変更
【補正の内容】
【００１０】
請求項７に記載した発明は、前記ヘッドランプ（６１）は、前記傾斜前壁部（５１ａ）の下部の左右方向内側に位置し、かつ上側に向けて先細りに延びる縦長の左右レンズ面（６１ａ）を前面視Ｖ字状にして配置されることを特徴とする。
請求項８に記載した発明は、前記灯火器（６２）は、前記ヘッドランプ（６１）のレンズ面（６１ａ）の上端部から前記傾斜前壁部（５１ａ）の上端部左右外側の角部に至るまで後上がりに延びることを特徴とする。
請求項９に記載した発明は、前記灯火器（６２）のヘッドランプ（６１）側の端部（６８）は、ヘッドランプ（６１）側に側面視三角形状をなして突出することを特徴とする。
請求項１０に記載した発明は、前記灯火器（６２）の傾斜前壁部（５１ａ）の上端側における端部（６９）は、傾斜前壁部（５１ａ）の上端部左右外側の角部近傍において後上がりに延びると共に、その末端が前記傾斜前壁部（５１ａ）の上部側縁を形成するべく後上がりの直線状に形成されることを特徴とする。
【手続補正５】
【補正対象書類名】明細書
【補正対象項目名】００１１
【補正方法】変更
【補正の内容】
【００１１】
この発明によれば、バルブ光をメインリフレクタの反射方向とは異なる方向にも配光するにあたり、メインリフレクタの背後に導いたバルブ光がサブリフレクタにより所望の照射方向に配光されることとなるため、単にバルブ光を前記異なる方向に漏らす場合と比べて、バルブ光の拡散が抑えられ、前記異なる方向へのバルブ光の十分な明るさの確保及び的確な配光が可能となり、灯火器の付加機能を高めて商品性向上を図ることができる。
また、スリットが導いたバルブ光の照射方向に沿ってサブリフレクタを延在させることで、前記レンズに細長の発光部分を設けることが可能となり、車両にシャープで斬新な印象を与えて外観性を高めることができる。
また、サブリフレクタによる発光部分が車両のフロントカバーの左右縁近傍に配置され、かつ該発光部分が斜め上後方に延びることでその照射範囲の上下幅も広がり、灯火器の被視認性を向上させることができる。また、左右の灯火器の間隔を広げて車両の幅方向における大きさをより大きく見せて視認性を向上させることができる。
また、車両のフロントカバーの左右内側から左右外側かつ左右縁近傍までヘッドランプ及び当該灯火器による発光部部分を延在させることができ、第三者が当該車両の速度感や距離感といった情報を把握し易くなると共に、ヘッドランプの上方に当該灯火器を一体的に連続させて外観性を向上させることができる。
【手続補正６】
【補正対象書類名】明細書
【補正対象項目名】００１２
【補正方法】変更
【補正の内容】
【００１２】
この発明によれば、スリットが導いたバルブ光をサブリフレクタの延在方向に渡って効率よく均等に配光することができる。
【手続補正７】
【補正対象書類名】明細書
【補正対象項目名】００１３
【補正方法】変更
【補正の内容】
【００１３】
この発明によれば、スリットから直接レンズに至るようなバルブ光はサブリフレクタに向けて反射させることが可能となり、スリットが導いたバルブ光を無駄なく確実に配光することができる。
【手続補正８】
【補正対象書類名】明細書
【補正対象項目名】００１４
【補正方法】変更
【補正の内容】
【００１４】
この発明によれば、部品点数の削減による組み立て性の向上、コストダウン及び軽量化を図ることができる。
【手続補正９】
【補正対象書類名】明細書
【補正対象項目名】００１５
【補正方法】変更
【補正の内容】
【００１５】
この発明によれば、細長でシャープな発光部分を効率よく形成することができる。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】